【手続補正書】
【提出日】平成19年2月15日(2007.2.15)
【手続補正１】
【補正対象書類名】明細書
【補正対象項目名】特許請求の範囲
【補正方法】変更
【補正の内容】
【特許請求の範囲】
【請求項１】 所定基本情報を記憶する基本情報記憶手段と、上記基本情報に基づいて可動部を駆動させる駆動手段と、上記駆動手段の動作をフィードバック情報を用いて制御すると共に上記フィードバック情報を上記基本情報に蓄積する制御手段とを有する情報通信ロボット装置において、
外部のユーザに対する教育情報を記憶する教育情報記憶手段と、
ユーザとの間でユーザ情報の入力、またはユーザに対して上記教育情報および上記フィードバック情報に対応した出力情報の出力を行う入出力手段と、
上記入出力手段により入力されるユーザ情報の解析を行い、上記教育情報および上記ユーザ情報に基づいて上記フィードバック情報の生成、および上記出力情報の生成を行う入出力情報生成／解析手段と、
を備え、ユーザに対して双方向で情報の入出力を行うことを特徴とする情報通信ロボット装置。
【請求項２】 請求項１記載の情報通信ロボット装置において、
上記入出力情報生成／解析手段において入力されるユーザ情報のうちの音声情報または画像情報を認識し、または出力情報のうちの発声情報または上記可動部の動作を選択する認識手段を有することを特徴とする情報通信ロボット装置。
【請求項３】 請求項１記載の情報通信ロボット装置において、
上記教育情報記憶手段により入力される教育情報の解析を行い、上記教育情報および上記ユーザ情報に基づいて上記フィードバック情報の生成、および上記出力情報の生成を行う教育情報生成／解析手段を設け、
上記ユーザ情報に対応して上記教育情報の内容を選択して、上記教育情報生成／解析手段において生成される上記フィードバック情報および上記出力情報を生成する選択手段を有することを特徴とする情報通信ロボット装置。
【請求項４】 請求項１記載の情報通信ロボット装置において、
他の情報通信ロボット装置または他の情報端末装置との間で上記教育情報の送信または受信を行う通信手段を設けたことを特徴とする情報通信ロボット装置。
【請求項５】 所定基本情報を基本情報記憶手段に記憶し、上記基本情報に基づいて駆動手段により可動部を駆動させ、制御手段により上記駆動手段の動作をフィードバック情報を用いて制御すると共に上記フィードバック情報を上記基本情報に蓄積する情報通信ロボット装置を用いた情報通信方法において、
外部のユーザに対する教育情報を記憶媒体に記憶する教育情報記憶ステップと、
ユーザとの間でユーザ情報の入力、またはユーザに対して上記教育情報および上記フィードバック情報に対応したユーザに対する出力情報の出力を行う入出力ステップと、
上記入力ステップにより入力されるユーザ情報の解析を行い、上記教育情報および上記ユーザ情報に基づいて上記フィードバック情報の生成、および上記出力情報の生成を行う入出力情報生成／解析ステップと、
を備え、ユーザに対して双方向で情報の入出力を行うことを特徴とする情報通信方法。
【請求項６】 請求項５記載の情報通信方法において、
上記ユーザ情報のうちの音声情報および画像情報の入力に基づいて、上記入出力ステップおよび上記入出力情報生成／解析ステップの動作を起動することを特徴とする情報通信方法。
【請求項７】 請求項５記載の情報通信方法において、
上記教育情報の入力に基づいて、上記入出力ステップおよび上記入出力情報生成／解析ステップの動作を起動することを特徴とする情報通信方法。
【請求項８】 所定基本情報を記憶する基本情報記憶手段と、上記基本情報に基づいて可動部を駆動させる駆動手段と、上記駆動手段の動作をフィードバック情報を用いて制御すると共に上記フィードバック情報を上記基本情報に蓄積する制御手段とを有する情報通信ロボット装置を用いた情報通信ロボットシステムにおいて、
外部のユーザに対する教育情報を通信または教育情報記憶媒体を介して任意の情報通信ロボット装置に配信する配信部と、
上記教育情報の受信を行う受信手段と、上記教育情報を上記教育情報記憶媒体に記憶する教育情報記憶手段と、ユーザとの間でユーザ情報の入力、またはユーザに対して上記教育情報および上記フィードバック情報に対応した出力情報の出力を行う入出力手段と、上記入出力手段により入力されるユーザ情報の解析を行い、上記教育情報および上記ユーザ情報に基づいて上記フィードバック情報の生成、および上記出力情報の生成を行う入出力情報生成／解析手段と、を有する複数の情報通信ロボット装置と、
を備え、上記配信部から配信された上記教育情報を用いて、複数の情報通信ロボット装置がユーザに対して双方向で情報の入出力を行う情報通信ロボットシステム。
【手続補正２】
【補正対象書類名】明細書
【補正対象項目名】００１０
【補正方法】変更
【補正の内容】
【００１０】
本発明は、所定基本情報を記憶する基本情報記憶手段と、上記基本情報に基づいて可動部を駆動させる駆動手段と、上記駆動手段の動作をフィードバック情報を用いて制御すると共に上記フィードバック情報を上記基本情報に蓄積する制御手段とを有する自律行動型の情報通信ロボット装置において適用されるものである。
【手続補正３】
【補正対象書類名】明細書
【補正対象項目名】００１１
【補正方法】変更
【補正の内容】
【００１１】
この発明の情報通信ロボット装置は、外部のユーザに対する教育情報を記憶する教育情報記憶手段と、ユーザとの間でユーザ情報の入力、またはユーザに対して教育情報およびフィードバック情報に対応した出力情報の出力を行う入出力手段と、入出力手段により入力されるユーザ情報の解析を行い、教育情報およびユーザ情報に基づいてフィードバック情報の生成、および出力情報の生成を行う入出力情報生成／解析手段とを備え、ユーザに対して双方向で情報の入出力を行うものである。
【手続補正４】
【補正対象書類名】明細書
【補正対象項目名】００１２
【補正方法】変更
【補正の内容】
【００１２】
また、この発明の情報通信方法は、外部のユーザに対する教育情報を記憶媒体に記憶する教育情報記憶ステップと、ユーザとの間でユーザ情報の入力、またはユーザに対して教育情報およびフィードバック情報に対応したユーザに対する出力情報の出力を行う入出力ステップと、入力ステップにより入力されるユーザ情報の解析を行い、教育情報およびユーザ情報に基づいてフィードバック情報の生成、および出力情報の生成を行う入出力情報生成／解析ステップと、を備え、ユーザに対して双方向で情報の入出力を行うものである。
【手続補正５】
【補正対象書類名】明細書
【補正対象項目名】００１３
【補正方法】変更
【補正の内容】
【００１３】
この発明の情報通信ロボットシステムは、外部のユーザに対する教育情報を通信または教育情報記憶媒体を介して任意の情報通信ロボット装置に配信する配信部と、教育情報の受信を行う受信手段と、教育情報を教育情報記憶媒体に記憶する教育情報記憶手段と、ユーザとの間でユーザ情報の入力、またはユーザに対して教育情報およびフィードバック情報に対応した出力情報の出力を行う入出力手段と、入出力手段により入力されるユーザ情報の解析を行い、教育情報およびユーザ情報に基づいてフィードバック情報の生成、および出力情報の生成を行う入出力情報生成／解析手段と、を有する複数の情報通信ロボット装置と、を備え、配信部から配信された教育情報を用いて、複数の情報通信ロボット装置がユーザに対して双方向で情報の入出力を行うものである。